(57)【要約】【課題】吸熱器で発生した除湿水が乾燥用空気とともにドラム内に戻って、洗濯物を濡らすのを防止する。【解決手段】吸熱器２４および放熱器２５を収容しその内底面を前上がりに傾斜させて外槽の上方に配設したヒートポンプ装置外郭２２と、ヒートポンプ装置外郭２２の前面側に設けた乾燥用空気の入口２２ｅと、ヒートポンプ装置外郭２２の後面側に設けた乾燥用空気の出口２２ｆと、吸熱器２４で発生した除湿水を排出する排出口３１を有し、排出口３１をヒートポンプ装置外郭２２の後面側の底部に設け、ヒートポンプ装置外郭２２内の底部にヒートポンプ装置外郭２２内の除湿水が乾燥用空気の出口２２ｆに吸い込まれるのを防止する吸引抵抗部４９を設けたものである。【選択図】図１３
2011000141.tif 000002
【特許請求の範囲】
【請求項１】
筐体と、前記筐体内に配設した外槽と、前記外槽内に回転可能に内装し、前面側に洗濯物を投入する投入口を設けて、前上がりに傾斜させた有底筒状のドラムと、前記ドラムを回転駆動するモータと、前記ドラム内の洗濯物を乾燥するヒートポンプ装置と、前記外槽と前記ヒートポンプ装置を連結して乾燥用空気を循環させる循環風路と、前記ドラムに乾燥用空気を導入する給気口と、前記ドラムから乾燥用空気を排出する排気口と、前記循環風路に送風する送風機とを備え、前記ヒートポンプ装置は、圧縮機と、圧縮後の高温高圧の冷媒の熱を放熱する放熱器と、高圧の冷媒の圧力を減圧する減圧手段と、減圧されて低圧となった冷媒が熱を奪う吸熱器と、前記圧縮機と減圧手段と放熱器と吸熱器とを冷媒が循環するように連結した管路と、前記吸熱器および放熱器を収容しその内底面を前上がりに傾斜させて前記外槽の上方に配設したヒートポンプ装置外郭と、前記ヒートポンプ装置外郭の前面側に設けた乾燥用空気の入口と、前記ヒートポンプ装置外郭の後面側に設けた乾燥用空気の出口と、前記吸熱器で発生した除湿水を排出する排出口を有し、前記排出口を前記ヒートポンプ装置外郭の後面側の底部に設け、前記ヒートポンプ装置外郭内の底部に前記ヒートポンプ装置外郭内の除湿水が前記乾燥用空気の出口に吸い込まれるのを防止する吸引抵抗部を設けたドラム式洗濯乾燥機。
【請求項２】
吸引抵抗部は、ヒートポンプ装置外郭の入口側から排出口に向かって延びる凹状の溝部により構成した請求項１記載のドラム式洗濯乾燥機。
【請求項３】
吸引抵抗部は、溝部の深さを排出口側が深くなるように形成した請求項１または２記載のドラム式洗濯乾燥機。
【請求項４】
吸引抵抗部は、溝部の間隔を排出口側が狭くなるように形成した請求項１〜３のいずれか１項に記載のドラム式洗濯乾燥機。
【請求項５】
吸引抵抗部は、ヒートポンプ装置外郭の入口側から排出口に向かって延びる凸状の壁部により構成した請求項１記載のドラム式洗濯乾燥機。
【請求項６】
吸引抵抗部は、壁部の高さを排出口側が高くなるように形成した請求項１または５記載のドラム式洗濯乾燥機。
【請求項７】
吸引抵抗部は、壁部の間隔を排出口側が狭くなるように形成した請求項１、５、６のいずれか１項に記載のドラム式洗濯乾燥機。
【請求項８】
乾燥用空気の出口は、ヒートポンプ装置外郭の後面に壁を立ち上げて底部から一定上方に設け、除湿水を排出する排出口は、前記ヒートポンプ装置外郭の後面に設けた前記乾燥用空気の出口から一定側方の底部に設け、乾燥用空気と除湿水が前記出口と排出口に向かって各々異なる２方向へ流れるように構成した請求項１〜７のいずれか１項に記載のドラム式洗濯乾燥機。
【請求項９】
排出口を放熱器の下流側に配設した請求項１〜８のいずれか１項に記載のドラム式洗濯乾燥機。
【発明の詳細な説明】
【技術分野】
【０００１】
本発明は、洗濯および乾燥を行うドラム式洗濯乾燥機に関するものである。
【背景技術】
【０００２】
従来、この種のドラム式洗濯乾燥機は、図２９に示すように、外郭は筐体１０１で構成されており、この筐体１０１に扉１０２が開閉可能に取り付けられている。筐体１０１内には、洗濯乾燥槽としての外槽１０３が設けられている。外槽１０３には、前述の扉１０２に対向した位置に開口１０４が設けられている。外槽１０３の内部空間が庫内１０５となっている。庫内１０５に回転可能に円筒状のドラム１０６が設けられている。このドラム１０６の周壁には多数の孔が設けられ、通水および通気が可能となっている。
【０００３】
ドラム１０６はその回転軸１０７が前上がりに傾斜して配置されており、ドラム１０６の回転軸１０７が図示しない駆動モータで回転駆動される。また、ドラム１０６の反対側の端面は開口している。そして、扉１０２を開けて、ドラム１０６内に洗濯物を出し入れすることができる。
【０００４】
外槽１０３の下側に、アキュムレータ１０８、圧縮機１０９、内部第１熱交換部１１０および内部第２熱交換部１１１などが配置されている。内部第２熱交換部１１１はコイル状に巻かれており、この内部第２熱交換部１１１の外側を内部第１熱交換部１１０がコイル状に巻いている。したがって、内部第１熱交換部１１０および内部第２熱交換部１１１は、内部第２熱交換部１１１の下流側の冷媒配管の結露を防止するとともに、筐体１０１の結露も防止することができる。
【０００５】
また、外槽１０３の下端部には、排水管１１２が接続されている。外槽１０３の後面側の下部に形成された排気口１１３から、外槽１０３の前面側の上部に設けられた吸気口１１４まで風路１１５が形成されている。この風路１１５は、外槽１０３の背面および上面に沿って形成され、上部は前上がりに傾斜して延びており、排気口１１３から出た乾燥用空気は、風路１１５を前方へ流れて吸気口１１４からドラム１０６内に入る。
【０００６】
風路１１５の上部には、風上側から風下側へ、第１冷却器１１６、第２放熱器１１７、第２冷却器１１８、第１放熱器１１９および送風機１２０の順に配設され、第１冷却器１１６および第２冷却器１１８で発生する除湿水は、排出口１２１から排出されて、排水管１１２に流入し排水される（例えば、特許文献１参照）。
【０００７】
また、一般に除湿水の排出口は、除湿水が発生する吸熱器の直下またはその近傍に設けられる（例えば、特許文献２参照）。
【０００８】
上記特許文献１に記載されているように、除湿水の排出部は前上がりに傾斜させて風路の最下部に設けてあり、除湿水は後下がりとなる傾斜によって後方に向かって流れ、ポンプ等の補助的な排水手段を用いることなく容易に除湿水を排水することができる。一方、乾燥用空気は、風路の後方から前方へ向かって流れるようになっており、除湿水が流れる方向と逆向きであるため、除湿水が乾燥用空気に引き込まれにくい。
【０００９】
一般にこの種のドラム式洗濯乾燥機には、熱交換器へのリントの付着を少なくするために、乾燥用空気からリントを回収するフィルタが設けられる。そして、回収したリントをフィルタから除去するメンテナンスも頻繁におこなう必要がある。したがって、使用者が容易にメンテナンスできるように、フィルタはドラム式洗濯乾燥機の前面の使い易い位置
に設けることが好ましい。
【００１０】
リントは、洗濯、すすぎ、乾燥の工程で洗濯物から分離し、乾燥用空気によってドラム内と風路内を循環する。したがって、洗濯物が置かれているドラムからの出口、すなわち、風路への入口にフィルタを設けることが好ましく、風路内に設けられる送風機、熱交換器等の上流側に位置することで、これらへの付着を少なくできるからである。つまり、ドラム式洗濯乾燥機の前面の使い易い位置が風路への入口となり、乾燥用空気はドラムの前面側からドラムの後面側へ流れる構成することで、頻繁におこなわれるメンテナンスを容易にして、使い勝手をよくすることができるものである。
【先行技術文献】
【特許文献】
【００１１】
【特許文献１】特開２００３−２６５８８９号公報
【特許文献２】実開昭６３−１３２６９８号公報
【発明の概要】
【発明が解決しようとする課題】
【００１２】
しかしながら、前記従来の構成では、乾燥用空気は、ドラムの前面側に設けた排気口からドラムの後面側に配置された吸気口へ流れ、ドラムの上方に位置する後下がりに形成された循環風路をドラムの前方から後方へ流れる。また、乾燥用空気を除湿する吸熱器は、ドラムの上方に位置する循環風路内に設けられることから、吸熱器で結露した除湿水も後下がりに形成された循環風路内を後方へ流して排出されることとなる。
【００１３】
つまり、乾燥用空気が循環風路を流れる方向と、除湿水が循環風路を流れる方向が同じになり、いずれも循環風路を後方へ流れる構成となる。したがって、乾燥効果を高めるべく乾燥用空気の風量を増加させると、循環風路および吸熱器を通過する風速が速くなり、吸熱器で結露した除湿水が乾燥用空気によって循環風路内に飛散し、乾燥用空気に引き込まれてドラム内に戻って乾燥中の洗濯物を濡らすという問題が生じる。
【００１４】
そして、乾燥用空気と除湿水が循環風路内を同じ後方へ流れる構成として、除湿水が乾燥用空気とともにドラム内に戻るのを防止するには、乾燥用空気の風量を適正に設定する必要があり、必然的に風量の増加に制約が生じ、乾燥効果の向上と使い勝手を両立させることが難しいという課題があった。
【００１５】
本発明は、前記従来の課題を解決するもので、吸熱器で発生した除湿水が乾燥用空気とともにドラム内に戻って、洗濯物を濡らすのを防止することを目的とする。
【課題を解決するための手段】
【００１６】
前記従来の課題を解決するために、本発明のドラム式洗濯乾燥機は、ヒートポンプ装置は、圧縮機と、圧縮後の高温高圧の冷媒の熱を放熱する放熱器と、高圧の冷媒の圧力を減圧する減圧手段と、減圧されて低圧となった冷媒が熱を奪う吸熱器と、前記圧縮機と減圧手段と放熱器と吸熱器とを冷媒が循環するように連結した管路と、前記吸熱器および放熱器を収容しその内底面を前上がりに傾斜させて外槽の上方に配設したヒートポンプ装置外郭と、前記ヒートポンプ装置外郭の前面側に設けた乾燥用空気の入口と、前記ヒートポンプ装置外郭の後面側に設けた乾燥用空気の出口と、前記吸熱器で発生した除湿水を排出する排出口を有し、前記排出口を前記ヒートポンプ装置外郭の後面側の底部に設け、前記ヒートポンプ装置外郭内の底部に前記ヒートポンプ装置外郭内の除湿水が前記乾燥用空気の出口に吸い込まれるのを防止する吸引抵抗部を設けたものである。
【００１７】
これによって、除湿水は、ヒートポンプ装置外郭内の底部に設けた吸引抵抗部によって
ヒートポンプ装置外郭内を流れる乾燥用空気に引き込まれることなく排出口へ導くことができ、乾燥用空気とともに乾燥用空気の出口に吸い込まれるのを防止することができるようになり、除湿水が乾燥用空気とともにドラム内に戻って、洗濯物を濡らすのを防止することができる。
【発明の効果】
【００１８】
本発明のドラム式洗濯乾燥機は、吸熱器で発生した除湿水が乾燥用空気とともにドラム内に戻って、洗濯物を濡らすのを防止することができ、乾燥効果の向上と使い勝手を両立させることができる。
【図面の簡単な説明】
【００１９】
【図１】本発明の第１の実施の形態におけるドラム式洗濯乾燥機の要部断面図
【図２】同ドラム式洗濯乾燥機の一部切欠斜視図
【図３】同ドラム式洗濯乾燥機の一部切欠後部斜視図
【図４】同ドラム式洗濯乾燥機の一部切欠上部斜視図
【図５】同ドラム式洗濯乾燥機の設置状態の斜視図
【図６】同ドラム式洗濯乾燥機のヒートポンプ装置の上面図
【図７】同ドラム式洗濯乾燥機のヒートポンプ装置外郭の斜視図
【図８】同ドラム式洗濯乾燥機のヒートポンプ装置の分解斜視図
【図９】同ドラム式洗濯乾燥機のヒートポンプ外郭の取外し時の下方斜視図
【図１０】同ドラム式洗濯乾燥機のヒートポンプ装置のシステム概念図
【図１１】本発明の第２の実施の形態におけるドラム式洗濯乾燥機の要部断面図
【図１２】同ドラム式洗濯乾燥機の一部切欠上部斜視図
【図１３】本発明の第３の実施の形態におけるドラム式洗濯乾燥機のヒートポンプ装置の上面図
【図１４】同ドラム式洗濯乾燥機の図１３のＡ−Ａ断面図
【図１５】同ドラム式洗濯乾燥機のヒートポンプ装置の一部切欠上面図
【図１６】同ドラム式洗濯乾燥機の図１５のＢ−Ｂ断面図
【図１７】同ドラム式洗濯乾燥機のヒートポンプ装置の一部切欠斜視図
【図１８】本発明の第４の実施の形態におけるドラム式洗濯乾燥機のヒートポンプ装置の上面図
【図１９】同ドラム式洗濯乾燥機の図１８のＣ−Ｃ断面図
【図２０】同ドラム式洗濯乾燥機のヒートポンプ装置の一部切欠上面図
【図２１】同ドラム式洗濯乾燥機の図２０のＤ−Ｄ断面図
【図２２】同ドラム式洗濯乾燥機のヒートポンプ装置の一部切欠斜視図
【図２３】同ドラム式洗濯乾燥機のヒートポンプ装置の他の例を示す図２０のＥ−Ｅ断面図
【図２４】本発明の第５の実施の形態におけるドラム式洗濯乾燥機のヒートポンプ装置の上面図
【図２５】同ドラム式洗濯乾燥機の図２４のＦ−Ｆ断面図
【図２６】同ドラム式洗濯乾燥機のヒートポンプ装置の一部切欠上面図
【図２７】同ドラム式洗濯乾燥機の図２６のＧ−Ｇ断面図
【図２８】同ドラム式洗濯乾燥機のヒートポンプ装置の一部切欠斜視図
【図２９】従来のドラム式洗濯乾燥機の分解斜視図
【発明を実施するための形態】
【００２０】
第１の発明は、筐体と、前記筐体内に配設した外槽と、前記外槽内に回転可能に内装し、前面側に洗濯物を投入する投入口を設けて、前上がりに傾斜させた有底筒状のドラムと、前記ドラムを回転駆動するモータと、前記ドラム内の洗濯物を乾燥するヒートポンプ装置と、前記外槽と前記ヒートポンプ装置を連結して乾燥用空気を循環させる循環風路と、
前記ドラムに乾燥用空気を導入する給気口と、前記ドラムから乾燥用空気を排出する排気口と、前記循環風路に送風する送風機とを備え、前記ヒートポンプ装置は、圧縮機と、圧縮後の高温高圧の冷媒の熱を放熱する放熱器と、高圧の冷媒の圧力を減圧する減圧手段と、減圧されて低圧となった冷媒が熱を奪う吸熱器と、前記圧縮機と減圧手段と放熱器と吸熱器とを冷媒が循環するように連結した管路と、前記吸熱器および放熱器を収容しその内底面を前上がりに傾斜させて前記外槽の上方に配設したヒートポンプ装置外郭と、前記ヒートポンプ装置外郭の前面側に設けた乾燥用空気の入口と、前記ヒートポンプ装置外郭の後面側に設けた乾燥用空気の出口と、前記吸熱器で発生した除湿水を排出する排出口を有し、前記排出口を前記ヒートポンプ装置外郭の後面側の底部に設け、前記ヒートポンプ装置外郭内の底部に前記ヒートポンプ装置外郭内の除湿水が前記乾燥用空気の出口に吸い込まれるのを防止する吸引抵抗部を設けたことにより、除湿水は、ヒートポンプ装置外郭内の底部に設けた吸引抵抗部によってヒートポンプ装置外郭内を流れる乾燥用空気に引き込まれることなく排出口へ導くことができ、乾燥用空気とともに乾燥用空気の出口に吸い込まれるのを防止することができるようになり、除湿水が乾燥用空気とともにドラム内に戻って、洗濯物を濡らすのを防止することができる。
【００２１】
第２の発明は、特に、第１の発明の吸引抵抗部は、ヒートポンプ装置外郭の入口側から排出口に向かって延びる凹状の溝部により構成したことにより、除湿水は、凹状の溝部によって底部に障壁が略垂直に立設形成され、溝部を流れる除湿水が乾燥用空気に引き込まれるのを阻止するための抵抗として作用し、乾燥用空気とともに乾燥用空気の出口に吸い込まれるのを防止することができる。
【００２２】
第３の発明は、特に、第１または第２の発明の吸引抵抗部は、溝部の深さを排出口側が深くなるように形成したことにより、排出口に近づくにつれて増加する除湿水を確実に溝部内に収容し、乾燥用空気に引き込まれることなく排出口へ導くことができるとともに、ヒートポンプ装置外郭内の容積を減少させることなく実現することができる。
【００２３】
第４の発明は、特に、第１〜第３のいずれか１つの発明の吸引抵抗部は、溝部の間隔を排出口側が狭くなるように形成したことにより、複数の溝部を排出口に向かってより多く形成されるようになり、ヒートポンプ装置外郭内の上流側の広い範囲から除湿水を排出口へ導くことができる。
【００２４】
第５の発明は、特に、第１の発明の吸引抵抗部は、ヒートポンプ装置外郭の入口側から排出口に向かって延びる凸状の壁部により構成したことにより、除湿水は、凸状の壁部によって底部に障壁が略垂直に立設形成され、凸状の壁部に沿って流れる除湿水が乾燥用空気に引き込まれるのを阻止するための抵抗として作用し、乾燥用空気とともに乾燥用空気の出口に吸い込まれるのを防止することができるとともに、ヒートポンプ装置外郭の構造強度も同時に増加させることができる。
【００２５】
第６の発明は、特に、第１または第５の発明の吸引抵抗部は、壁部の高さを排出口側が高くなるように形成したことにより、乾燥用空気の出口に近づくほど壁部の高さが高くできるので、排出口に近づくにつれて増加する除湿水が乾燥用空気に引き込まれるのを確実に阻止し、排出口へ導くことができる。
【００２６】
第７の発明は、特に、第１または第５または第６のいずれか１つの発明の吸引抵抗部は、壁部の間隔を排出口側が狭くなるように形成したことにより、複数の壁部を排出口に向かってより多く形成されるようになり、ヒートポンプ装置外郭内の上流側の広い範囲から除湿水を排出口へ導くことができる。
【００２７】
第８の発明は、特に、第１〜第７のいずれか１つの発明の乾燥用空気の出口は、ヒート
ポンプ装置外郭の後面に壁を立ち上げて底部から一定上方に設け、除湿水を排出する排出口は、前記ヒートポンプ装置外郭の後面に設けた前記乾燥用空気の出口から一定側方の底部に設け、乾燥用空気と除湿水が前記出口と排出口に向かって各々異なる２方向へ流れるように構成したことにより、乾燥用空気の出口と除湿水の排出口を、ヒートポンプ装置外郭の後部で上下方向と水平方向に離反させることができ、乾燥用空気による除湿水の引き込み作用を弱めることができるとともに、後面に立ち上げた壁によって除湿水が乾燥用空気に引き込まれるのを阻止することができる。
【００２８】
第９の発明は、特に、第１〜第８のいずれか１つの発明の排出口を放熱器の下流側に配設したことにより、乾燥用空気によって吸熱器から下流側へ飛散した除湿水を放熱器の下流側で排出口へ導くことができ、除湿水が乾燥用空気に引き込まれることなくヒートポンプ装置外郭内から排水することができる。
【００２９】
以下、本発明の実施の形態について、図面を参照しながら説明する。なお、この実施の形態によって本発明が限定されるものではない。
【００３０】
（実施の形態１）
図１は、本発明の第１の実施の形態におけるドラム式洗濯乾燥機の要部断面図、図２は、同一部切欠斜視図、図３は、同一部切欠後部斜視図、図４は、同一部切欠上部斜視図、図５は、同設置状態の斜視図、図６は、同ヒートポンプ装置の上面図、図７は、同ヒートポンプ装置外郭の斜視図、図８は、同ヒートポンプ装置の分解斜視図、図９は、同ヒートポンプ外郭の取外し時の下方斜視図、図１０は、同ヒートポンプ装置のシステム概念図である。
【００３１】
図１〜図１０において、外槽１はドラム式洗濯乾燥機の筐体２の内部で複数のサスペンション機構３により弾性的に支持されている。ドラム４は、正面側に洗濯物５を出し入れする投入口６を有し、有底筒状に構成され、外槽１内に配設されている。前記ドラム４は、回転軸７で回転可能に設けられ洗濯物５を収納するものであり、ドラム４の周壁８には多数の排出孔９を設けている。外槽１とドラム４と回転軸７は、水平に対して角度θ（例えば２０°）前上がりに傾けて配置されている。
【００３２】
外槽１の底部の外部にはモータ１０を設けて、ドラム４を正逆回転させるようになっている。筐体２の前面には洗濯物５を出し入れする略円形状の投入口６と、これを開閉する扉１１が設けられている。前記投入口６と対向する外槽１の開口部１ａは、パッキン１２によって筐体２と気密構成を確保して連結されている。外槽１の上部には水を供給する給水口１３があり、外槽１の外部上方にある給水弁１４に連結されている。また、外槽１の底部には洗濯水を排出する排水口１５を有し、排水弁１６に連結されている。
【００３３】
送風手段を構成する送風機１７は、筐体２の上面と外槽１が成す隅部空間に位置するように外槽１の上部に設けられている。送風機１７は外槽１の外面に設けた給気ダクト１８と連通し、給気ダクト１８の給気ダクト入口１８ａから入った空気を矢印１９の方向に送風して給気口２０からドラム４内に供給する。また、外槽１の前方上面部には排気口２１を設け、ドラム４および外槽１を通過して排気口２１からドラム４外へ導出する。
【００３４】
外槽１の上部には、前方から順に、排気口２１とヒートポンプ装置外郭２２を連結している伸縮自在な吸熱器側連結部材２３と、ヒートポンプ装置を構成する熱交換器からなる吸熱器２４と放熱器２５と、ヒートポンプ装置外郭２２と送風機１７を連結している伸縮自在な放熱器側連結部材２６を、ドラム４の回転軸７と略平行に前上がりに傾斜されて配設されている。排気口２１から出た乾燥用空気は、この順にしたがって吸熱器側連結部材２３から放熱器側連結部材２６まで矢印２７の方向にほぼ直線的に流れるようになってい
る。
【００３５】
ヒートポンプ装置外郭２２の内部底面２２ａは、乾燥用空気の流れを示す矢印２７に沿って、外槽１と同様に略平行に前上がりに傾斜している。また、上面に開放部２２ｂを有している。ヒートポンプ装置外郭２２は、筐体２に対して図９の両矢印に示す上下方向に着脱可能である。筐体２の内部には、その上部に前面から後方へ延設した前方固定具４４ａと、背面から前方へ延設した後方固定具４４ｂが設けてあり、この前方固定具４４ａと、後方固定具４４ｂでヒートポンプ装置４７を筐体２に支持する支持部を構成している。
【００３６】
ヒートポンプ装置外郭２２の前部に設けた前方取付部２２ｃを筐体２の前方固定具４４ａに嵌合し、ヒートポンプ装置外郭２２の後部に設けた後方取付部２２ｄを筐体２の後方固定具４４ｂに各々嵌合することによって、ヒートポンプ装置外郭２２を筐体２に固定される。そのため、ヒートポンプ装置は筐体２と同じ振動系にある。
【００３７】
ヒートポンプ装置４７は、ヒートポンプ装置外郭２２の下部と外槽１の上部との間に、所定の空間が形成されるように支持部によって筐体２に支持され、ドラム４の回転駆動により外槽１が揺動したときに、外槽１がヒートポンプ装置外郭２２に接触するのを防止している。
【００３８】
送風機１７で送風される乾燥用空気は、図１０の矢印２８に示すように、給気ダクト１８を通り給気口２０からドラム４内に入り、ドラム４内の洗濯物５を通過した後、排気口２１から出て、排気口２１から吸熱器側連結部材２３を介してヒートポンプ装置外郭２２の内部に配設された吸熱器２４、放熱器２５の順に通過し、放熱器側連結部材２６を経て送風機１７へ戻る循環風路を形成している。
【００３９】
吸熱器２４と放熱器２５は、ヒートポンプユニットを構成する圧縮機２９とあわせて基台３０に設置されてユニット化している。基台３０は、ヒートポンプ装置外郭２２の内部底面２２ａに沿うように設置されている。基台３０は、図８の両矢印に示すようにヒートポンプ装置外郭２２に対して上下方向に着脱自在である。基台３０は、放熱器２５および吸熱器２４が設置されている略平面形状の第１の設置部３０ａと、圧縮機２９が設置されている略円筒形状の第２の設置部３０ｂを有しており、第２の設置部３０ｂは第１の設置部３０ａよりドラム４の後ろ側に形成されている。
【００４０】
第１の設置部３０ａは、乾燥用空気の流れを示す矢印２７に沿って、外槽１の上面と略平行に前上がりに傾斜している。また、基台３０がヒートポンプ装置外郭２２に配設されたときには、第２の設置部３０ｂの略円筒形状の底面は水平状態で、かつ、第１の設置部３０ａよりも低い位置になっている。基台３０の第１の設置部３０ａには、鉛直方向に伸びた下部分離板３０ｃと上部分離板３０ｄが設けてあり、これによって、吸熱器２４および放熱器２５が存在する熱交換器側と、圧縮機２９を有する第１の設置部３０ａが存在する圧縮機側とに分離されている。吸熱器２４および放熱器２５は、その端面下部を下部分離板３０ｃ上に配置した後に、端面上部を上部分離板３０ｄで挟み込むことによって、基台３０に固定される。
【００４１】
ヒートポンプ装置外郭２２のうち、熱交換器側の後端面の下方には、吸熱器２４で除湿した除湿水を排出する排出口３１を設けている。ヒートポンプ装置外郭２２の開放部２２ｂは、筐体２の上部開口２ａを開閉可能に覆う蓋体３２と一体化したカバー３３で覆われる。ヒートポンプ装置外郭２２とカバー３３とによって乾燥用空気が流れる循環風路を形成している。
【００４２】
この蓋体３２は、筐体２の後面側の上端部に設けたヒンジ機構３４により筐体２に対し
て回動自在であり、筐体２の上部開口２ａを開閉するとともに、この蓋体３２の内面側に一体に構成したカバー３３でヒートポンプ装置外郭２２の開放部２２ｂを開閉し、蓋体３２で筐体２の上部開口２ａを開くとヒートポンプ装置外郭２２の開放部２２ｂも同時に開成される。
【００４３】
吸熱器側連結部材２３とヒートポンプ装置外郭２２の前面側に設けた入口２２ｅ、放熱器側連結部材２６とヒートポンプ装置外郭２２の後面側に設けた出口２２ｆは、それぞれ蓋体３２の直下で接続されており、蓋体３２を開くことでヒートポンプ装置外郭２２とこれらの連結部材２３、２６は脱着可能となっている。
【００４４】
また、ヒートポンプ装置４７は、圧縮機２９、およびこの圧縮機２９で圧縮された冷媒の熱を放熱する放熱器２５、および高圧の冷媒の圧力を減圧するための毛細管からなる減圧手段３５、および減圧されて低圧となった冷媒が周囲から熱を奪う吸熱器２４とを冷媒が循環するように管路３６で連結されており、冷媒は図１０の矢印３７の方向に流れて循環して、ヒートポンプサイクルを実現する。
【００４５】
圧縮機２９は、ヒートポンプ装置４７の外部に設けられた制御手段３８と電気的に接続されている。ヒートポンプ装置４７と制御手段３８はコネクタ３８ａによって構成される電気的接続部を脱着可能に構成されており、このコネクタ３８ａは、ヒートポンプ装置外郭２２と蓋体３２が成す隅部空間に位置するように保持されており、蓋体３２を開くと筐体２の上部開口２ａから容易に脱着できるようにしている。
【００４６】
以上のように構成されたドラム式洗濯乾燥機について、以下、その動作、作用を説明する。洗浄工程では、排水弁１６を閉じた状態で外槽１内に所定の水位に達するまで給水を行い、モータ１０により洗濯物５と洗浄水の入ったドラム４を回転させて洗浄を行う。このとき、給気ダクト１８内に一部の洗浄水が入るが、給気ダクト１８は途中経路を上方に持ち上げた形状にしてヒートポンプ装置４７および送風機１７に洗浄水が浸入しないようになっている。
【００４７】
また、洗浄後の濯ぎ工程でも、洗浄工程と同様に外槽１内に給水され、ドラム４を回転させて洗濯物５の濯ぎを行う。脱水工程では、排水弁１６を開いて機外へ水を排水した後、モータ１０により洗濯物５の入ったドラム４を高速回転して脱水する。上記洗濯、脱水時には、ドラム４の回転振動によって外槽１全体の振動が生じる。この振動はサスペンション機構３により吸収されて筐体２の振動は抑制される。
【００４８】
乾燥工程では、ヒートポンプ装置４７の圧縮機２９を作動させると、冷媒が圧縮され、この圧力により管路３６を通って放熱器２５、減圧手段３５、吸熱器２４を循環する。放熱器２５では冷媒の圧縮で熱が放出され、吸熱器２４では減圧手段３５で減圧されて低圧となった冷媒により熱が吸収される。このとき送風機１７が作動し、放熱器２５の放熱により加熱された温風が給気ダクト１８を通って給気口２０からドラム４内に送風される。ドラム４はモータ１０により回転駆動され、洗濯物５はドラム４の回転により持ち上げられて落下することで、上下に撹拌される。
【００４９】
ドラム４内に送風された温風は、この洗濯物５の隙間を通るときに水分を奪い、湿った状態で外槽１の排気口２１を経て、吸熱器側連結部材２３を通り、吸熱器２４に至る。この湿った温風は、吸熱器２４を通過する際に顕熱と潜熱が奪われて除湿され、乾いた空気と除湿水に分離される。この乾いた空気は、吸熱器２４直後の放熱器２５で再び加熱され温風となって送風機１７、給気ダクト１８を通り、ドラム４へと循環する。
【００５０】
一方、吸熱器２４で結露した除湿水は、第１の設置部３０ａが外槽の傾斜と同様に前上
がりに傾斜しているため、図８の矢印４３のようにヒートポンプ装置外郭２２のうち、熱交換器側の後端面の下方に設けた排出口３１から機外へ排出される。除湿水は、排出口３１から直接機外へ排出する方法と、外槽１を経由して排水口１５から機外へ排出する方法が考えられる。
【００５１】
このようにヒートポンプ装置４７を用いることにより、吸熱器２４で吸熱した熱を冷媒で回収して再び放熱器２５で放熱して、圧縮機２９に入力したエネルギー以上の熱量を洗濯物５に与えることができるので、乾燥時間の短縮と省エネを実現することができる。
【００５２】
また、ドラム４と外槽１は前上がりに傾斜しているため、使用者にとって操作のしやすい投入口６の高さを確保しつつ、筐体２内部の下部前方と筐体２内部の上部後方に幅と奥行きと併せて適度な高さを持った機器配置スペースを確保することができる。
【００５３】
また、ヒートポンプ装置４７を外槽１の上方に配置することにより、蓋体３２を開くと管路３６で連結された圧縮機２９と減圧手段３５と放熱器２５と吸熱器２４を上部開口２ａから上方へ容易に取り出すことができる。設置スペースの関係上、図５のようにドラム式洗濯乾燥機は筐体２の後面部２ｂと両側の側面部２ｃ、または側面部２ｃの一方を設置場所の壁面３９との間に僅かな隙間を残して設置されていることが一般的である。そのため、蓋体３２は筐体２の外観を構成する要素のうち、ドラム式洗濯乾燥機を移動させる手間をなくして比較的開放しやすいものであり、ヒートポンプ装置４７を構成する圧縮機２９と減圧手段３５と放熱器２５と吸熱器２４のメンテナンス性が向上する。
【００５４】
また、洗濯時の洗濯液が循環風路からヒートポンプ装置４７の吸熱器２４や放熱器２５に浸入することがなくなる。吸熱器２４および放熱器２５は、熱伝導の良い銅やアルミニウムなどの金属で構成するのが通常であり、洗濯液中の洗剤、柔軟剤、漂白剤等の成分が付着するとこれらを腐食させるおそれがある。したがって、ヒートポンプ装置４７を外槽１の上方に配置することによって洗濯液の浸入が防止でき、格別な防食構成を必要とすることなく吸熱器２４や放熱器２５の腐食が防止でき、耐久性、信頼性を向上することができる。
【００５５】
加えて、ドラム式洗濯乾燥機を構成する要素の中で比較的上部に吸熱器２４を配置することができるので、乾燥行程中に吸熱器２４で乾燥用空気を除湿するときに発生する除湿水は、外槽１の傾斜と同様に前上がりに傾斜している第１の設置部３０ａを伝って排出口３１から排水されるため、機械的な排水補助手段等を使用することなく排出することができる。
【００５６】
また、ヒートポンプ装置４７を構成する圧縮機２９と放熱器２５と吸熱器２４は基台３０に設置して一体的にユニット化され、これらを基台３０と一体化して筐体２に対して取外しと取付けをおこなう構成としたことによって、管路３６に応力がかからないようにヒートポンプ装置の脱着ができるようになり、ヒートポンプ装置をメンテナンスする際に管路３６に応力がかからないように、その取り扱いに注意を要していた作業者の負担を軽減して、効率よく作業をおこなうことができる。
【００５７】
そして、圧縮機２９の底面が水平状態となるように設置したことによって、作業者は圧縮機２９と減圧手段３５と放熱器２５と吸熱器２４を取り出す際に、これらの相互位置関係がドラム式洗濯乾燥機に配置された状態を保持できているか否かを、圧縮機２９底面の水平保持を目安として判断することができ、相互の位置関係のずれによって管路３６に応力が生じる可能性を軽減することができる。
【００５８】
また、放熱器２５および吸熱器２４を設置する第１の設置部３０ａに対して、圧縮機２
９を設置する第２の設置部３０ｂを低い位置に設けたことによって、ヒートポンプ装置を構成する要素のうち比較的大重量の圧縮機２９の底面を比較的低い位置に設けることになる。これによって、より安定的に作業者は圧縮機２９と減圧手段３５と放熱器２５と吸熱器２４を一体的に取り出すことができる。取り出すときに管路３６で繋がれた圧縮機２９を始めとする機器が、筐体２に接触するなどして予期せぬ揺れを受けたときも、質量重心が低い位置にあることで比較的揺れは早く収まり、機器の相互の位置関係ずれによって管路３６に応力が生じる可能性を軽減することができる。
【００５９】
また、第１の設置部３０ａをドラム４の前側に配設し、第２の設置部３０ｂをドラム４の後側に配設したことによって、作業者がヒートポンプ装置を容易に取り出すことができることに加えて、コンパクトな循環風路配置が可能になっている。第１の設置部３０ａに設置する放熱器２５と吸熱器２４は、構成を２つに分けることが可能なため比較的フレキシブルな配置が可能であることを活用しつつ、乾燥用空気との伝熱を促進するために可能な限り伝熱面積を大きくした伝熱機構を設けることが望ましい。そのため、第２の設置部３０ｂに設置する圧縮機２９よりもフレキシブルな配置が可能ではあるが容積が大きくなることが多い。
【００６０】
また、作業者がヒートポンプ装置のメンテナンスを行うために、蓋体３２を開いて上方へヒートポンプ装置を取り出す際は、本体を移動させることなく使用者が作業できる空間が確保されているドラム式洗濯乾燥機前面から取り出すことが多い。そのため、ドラム式洗濯乾燥機の前面側から取り出しを行うことが多い作業者にとって、手前側に位置するドラム４の前側に比較的容積が大きい第２の設置部３０ｂを設けて、奥側に位置するドラム４の後側に比較的容積が小さい第１の設置部３０ａを配設することで、作業者がヒートポンプ装置を構成する要素を取り出すことがより容易になる。
【００６１】
また、給気口２０をドラム４の後面近傍に設け、排気口２１をドラム４の前面近傍に設けることにより、乾燥用空気がドラム４内に滞留する時間を長くすることができるため、乾燥用空気をより洗濯物５に効率よく接触させて乾燥に活用することができる。加えて、ヒートポンプ装置外郭２２により構成される乾燥用空気が流れる循環風路を回転軸７方向に設けることで、乾燥用空気にとってスムーズな流れが可能となるとともに、コンパクトな循環風路を実現できる。加えて、ヒートポンプ装置外郭２２により構成される循環風路をドラム４の上部に配設し、前上がりに傾斜させて前記ドラム４の回転軸７と略平行に設けたことによって、コンパクトな循環風路配置が可能になると同時に、コンパクト故にヒートポンプ装置の修理時の取り出しやすさが向上する。
【００６２】
循環風路は、外槽１につながれた吸熱器側連結部材２３と、吸熱器２４および放熱器２５が配設されカバー３３で覆われたヒートポンプ装置外郭２２と、放熱器側連結部材２６と、外槽１につながれた給気ダクト１８などを連結して構成されており、これら吸熱器側連結部材２３、ヒートポンプ装置外郭２２、放熱器側連結部材２６がドラム４の上部に配設されていることで、吸熱器側連結部材２３とヒートポンプ装置外郭２２の前面側に設けた入口２２ｅ、および放熱器側連結部材２６とヒートポンプ装置外郭２２の後面側に設けた出口２２ｆは、それぞれ蓋体３２の直下で接続されており、蓋体３２を開くことでヒートポンプ装置外郭２２とこれらの連結部材２３、２６との脱着を容易におこなうことができる。
【００６３】
また、カバー３３で覆われたヒートポンプ装置外郭２２により構成される循環風路を前上がりに傾斜させてドラム４の回転軸７と略平行に設けたことによって、循環風路の長さは更に短くでき、よりコンパクトにできる。また、循環風路は、上面側に放熱器２５と吸熱器２４が脱着可能な開放部２２ｂと、この開放部２２ｂを脱着自在に覆うカバー３３を有しているため、循環風路とヒートポンプ装置の脱着操作を行うことなく、カバー３３を
取り外すだけで管路３６で繋がれた圧縮機２９を含むヒートポンプ装置４７のユニットを容易に取り外すことができ、作業性をよくすることができる。
【００６４】
また、カバー３３は蓋体３２と一体に構成しているため、ヒートポンプ装置の修理メンテナンス時に蓋体３２を開くことによって、ヒートポンプ装置外郭２２の開放部２２ｂを同時に開いて収容されている吸熱器２４、放熱器２５および圧縮機２９などを露出されることができる。
【００６５】
また、蓋体３２は、ヒンジ機構３４で後方へ開閉自在としたものである。ヒートポンプ装置のメンテナンスは使用者が使用する設置場所で臨時におこなうものであり、ヒンジ機構３４により蓋体３２を開閉することで、蓋体３２を筐体２から一旦取外して仮置きするための場所が不要になる。また、ヒンジ機構３４は筐体２と蓋体３２の連結の役割も果たすため、蓋体３２を閉めるときに必要な筐体２と蓋体３２の締結作業が簡略化でき容易になる。
【００６６】
また、ヒートポンプ装置と制御手段３８との電気的接続部であるコネクタ３８ａは、蓋体３２を開いたときに上部開口２ａの近くの視認可能な位置に設けているので、ヒートポンプ装置などが脱着時の障害となることなく、コネクタ３８ａの脱着を容易におこなうことができる。
【００６７】
また、ヒートポンプ装置外郭２２は、蓋体３２の直下の上部開口２ａの近くで伸縮可能な吸熱器側連結部材２３と放熱器側連結部材２６で接続されているため、これらの連結部材のフレキシブル性によって脱着作業の効率化を図ることができるとともに、管路３６で繋がれた圧縮機２９、減圧手段３５、吸熱器２４、放熱器２５をヒートポンプ装置のユニットとして外槽１側から取り外すことができる。
【００６８】
なお、本実施の形態１では、蓋体３２と筐体２のヒンジ機構３４を、筐体２の後面側に設けているが、側面側へ開くように設けてもよい。また、乾燥用空気は、ドラム４の後方より導入しドラム４の前方から排出しているが、ドラム４内の乾燥用空気の流動方向が逆になるように循環風路を形成してもよい。また、ヒートポンプ装置の取り出しは、ヒートポンプ装置外郭２２ごと行うことも可能である。
【００６９】
（実施の形態２）
次に、本発明の第２の実施の形態のドラム式洗濯乾燥機について図１１および図１２を参照しながら説明する。図１１は、本発明の第２の実施の形態におけるドラム式洗濯乾燥機の要部断面図、図１２は、同筐体の上部斜視図である。なお、実施の形態１と同じ作用をする構成については同一符号を付し、具体的な説明は実施の形態１のものを援用する。
【００７０】
実施の形態１と異なる点は、管路３６で繋がれた圧縮機２９、減圧手段３５、吸熱器２４、放熱器２５をヒートポンプ装置４７のユニットとして外槽１の上部に取外し可能に装着したところであり、ヒートポンプ装置外郭２２の下部を取外し可能な固定部４５で外槽１の上部に固定している。ヒートポンプ装置外郭２２の開放部２２ｂは、蓋体３２とは独立であるカバー４６で覆われている。このカバー４６は、図１２の両矢印に示すように上下方向に着脱可能であり、蓋体３２を開くと開放部２２ｂを覆っているカバー４６を取り外すことができる。ヒートポンプ装置外郭２２とカバー４６によって形成される空間に、吸熱器２４および放熱器２５が配設され、乾燥用空気が循環する循環風路を構成している。
【００７１】
上記構成によれば、ヒートポンプ装置が外槽１の上部に取外し可能に装着されてその振動系に含まれるため、外槽１はヒートポンプ装置の分だけ重量が増加する。そのため、外
槽１を含む振動系がドラム４の回転によって生じる力を受けて振動する際に、振動振幅を低減することができて、より静粛な運転が可能となる。
【００７２】
（実施の形態３）
次に、本発明の第３の実施の形態のドラム式洗濯乾燥機について図１３〜図１７を参照しながら説明する。図１３は、本発明の第３の実施の形態におけるドラム式洗濯乾燥機のヒートポンプ装置の上面図、図１４は、同ドラム式洗濯乾燥機の図１３のＡ−Ａ断面図、図１５は、同ドラム式洗濯乾燥機のヒートポンプ装置の一部切欠上面図、図１６は、同ドラム式洗濯乾燥機の図１５のＢ−Ｂ断面図、図１７は、同ドラム式洗濯乾燥機のヒートポンプ装置の一部切欠斜視図である。なお、実施の形態１と同じ作用をする構成については同一符号を付し、具体的な説明は実施の形態１のものを援用する。
【００７３】
実施の形態１と異なる点を以下に説明する。出口２２ｆは、ヒートポンプ装置外郭２２の後面に壁を立ち上げて内部底面２２ａから一定の間隔Ｈをもって上方に設け、除湿水を排出する排出口３１は、ヒートポンプ装置外郭２２の後面に設けた出口２２ｆから一定の間隔Ｌをもって側方の内部底面２２ａに設け、乾燥用空気と除湿水が出口２２ｆと排出口３１に向かって各々異なる２方向へ離れるように流れるように構成している。
【００７４】
排出口３１とヒートポンプ装置外郭２２の内部底面２２ａの間には、除湿水を貯めておくことができるプール４８がある。排出口３１とプール４８を塞いでしまわないように、基台３０には切り欠き３０ｅが設けてある。また、基台３０の第１の設置部３０ａには、除湿水が出口２２ｆに吸い込まれるのを防止する吸引抵抗部として、排出口３１に向かって伸びる複数の凹状の溝部４９が形成されている。溝部４９の深さは排出口３１側が深くなるように、かつ溝部４９の間隔は排出口３１側が狭くなるように形成されている。
【００７５】
上記構成によれば、除湿水は、凹状の溝部４９によって底部に障壁が略垂直に立設形成され、溝部４９を流れる除湿水が乾燥用空気に引き込まれるのを阻止するための抵抗として作用し、乾燥用空気とともに乾燥用空気の出口２２ｆに吸い込まれるのを防止することができるため、除湿水が乾燥用空気とともにドラム４内に戻って、洗濯物５を濡らすのを防止することができる。
【００７６】
また、溝部４９の深さを排出口３１側が深くなるように形成したことにより、排出口３１に近づくにつれて増加する除湿水を確実に溝部４９内に収容し、乾燥用空気に引き込まれることなく排出口３１へ導くことができるとともに、ヒートポンプ装置外郭２２内の容積を減少させることなく実現することができる。
【００７７】
また、溝部４９の間隔を排出口３１側が狭くなるように形成したことにより、複数の溝部４９を排出口３１に向かってより多く形成されるようになり、ヒートポンプ装置外郭２２内の上流側の広い範囲から除湿水を排出口３１へ導くことができる。
【００７８】
加えて、出口２２ｆは、ヒートポンプ装置外郭２２の後面に壁を立ち上げて内部底面２２ａから一定の間隔Ｈをもって上方に設け、除湿水を排出する排出口３１は、ヒートポンプ装置外郭２２の後面に設けた出口２２ｆから一定の間隔Ｌをもって側方の内部底面２２ａに設け、乾燥用空気と除湿水が出口２２ｆと排出口３１に向かって各々異なる２方向へ離れるように流れる構成としているため、乾燥用空気の出口２２ｆと除湿水の排出口３１を、ヒートポンプ装置外郭２２の後部で上下方向と水平方向に離反させることができ、乾燥用空気による除湿水の引き込み作用を弱めることができるとともに、後面に立ち上げた壁によって除湿水が乾燥用空気に引き込まれるのを阻止することができる。
【００７９】
出口２２ｆは、ヒートポンプ装置内部と比較して一般的に断面積が狭く故に、ヒートポ
ンプ装置内部と比べて乾燥用空気が高流速となる出口２２ｆ付近は、比較的乾燥用空気によって除湿水が吸い込まれやすいため、この構成は非常に有用である。
【００８０】
さらに、排出口３１は放熱器２５の下流側に配設されているため、乾燥用空気によって吸熱器２４から下流側へ飛散した除湿水を放熱器２５の下流側で排出口３１へ導くことができ、除湿水が乾燥用空気に引き込まれることなくヒートポンプ装置外郭２２内から排水することができる。乾燥用空気の流れは、例えば、ドラム４に投入されている洗濯物５の量に依存する圧力損失変化などによって変化するため、常に一定ではないが、この構成によって除湿水が乾燥用空気の流れの変化に乗って、予期せぬ方向へ導かれるリスクを、大幅に軽減して良好な除湿水排水を実現できる。
【００８１】
そのため、除湿水が予期せぬ方向へ導かれて、除湿水排水が滞って局所的に除湿水が溜まったときでも、溜まった除湿水が乾燥用空気によって飛散して乾燥用空気とともにドラム４に戻って、洗濯物５を濡らすことを防ぐことができる。
【００８２】
（実施の形態４）
次に、本発明の第４の実施の形態のドラム式洗濯乾燥機について図１８〜図２３を参照しながら説明する。図１８は、本発明の第４の実施の形態におけるドラム式洗濯乾燥機のヒートポンプ装置の上面図、図１９は、同ドラム式洗濯乾燥機の図１８のＣ−Ｃ断面図、図２０は、同ドラム式洗濯乾燥機のヒートポンプ装置の一部切欠上面図、図２１は、同ドラム式洗濯乾燥機の図２０のＤ−Ｄ断面図、図２２は、同ドラム式洗濯乾燥機のヒートポンプ装置の一部切欠斜視図、図２３は、同ドラム式洗濯乾燥機のヒートポンプ装置の他の例を示す図２０のＥ−Ｅ断面図である。なお、実施の形態３と同じ作用をする構成については同一符号を付し、具体的な説明は実施の形態３のものを援用する。
【００８３】
実施の形態３と異なる点は、吸引抵抗部として基台３０の上面に凸状の壁部５０を略垂直に突出するように設けた点である。
【００８４】
上記構成によれば、除湿水が壁部５０の上流側を伝って排出口３１へと流れるので、除湿水がヒートポンプ装置外郭２２内を流れる乾燥用空気に引き込まれることなく排出口３１へ導くことができ、乾燥用空気とともに乾燥用空気の出口２２ｆに吸い込まれるのを防止することができるようになり、除湿水が乾燥用空気とともにドラム４内に戻って、洗濯物５を濡らすのを防止することができるとともに、凸状の壁部５０によってヒートポンプ装置外郭２２の構造強度、特に、底部の強度も同時に増加させることができる。
【００８５】
（実施の形態５）
次に、本発明の第５の実施の形態のドラム式洗濯乾燥機について図２４〜図２８を参照しながら説明する。図２４は、本発明の第５の実施の形態におけるドラム式洗濯乾燥機のヒートポンプ装置の上面図、図２５は、同ドラム式洗濯乾燥機の図２４のＦ−Ｆ断面図、図２６は、同ドラム式洗濯乾燥機のヒートポンプ装置の一部切欠上面図、図２７は、同ドラム式洗濯乾燥機の図２６のＧ−Ｇ断面図、図２８は、同ドラム式洗濯乾燥機のヒートポンプ装置の一部切欠斜視図である。なお、実施の形態３と同じ作用をする構成については同一符号を付し、具体的な説明は実施の形態３のものを援用する。
【００８６】
実施の形態３と異なる点は、基台３０がなく、吸熱器２４と放熱器２５はヒートポンプユニットを構成する圧縮機２９とあわせて、ヒートポンプ装置外郭２２の直上でユニット化しているところである。ヒートポンプ装置外郭２２の内部底面２２ａには、除湿水が出口２２ｆに吸い込まれるのを防止する吸引抵抗部として、排出口３１に向かって伸びる複数の凹状の溝部４９が形成されている。溝部４９の深さは排出口３１側が深くなるように、かつ、溝部４９の間隔は排出口３１側が狭くなるように形成されている。
【００８７】
上記構成によれば、除湿水は、凹状の溝部４９によって底部に障壁が略垂直に立設形成され、溝部４９を流れる除湿水が乾燥用空気に引き込まれるのを阻止するための抵抗として作用し、乾燥用空気とともに乾燥用空気の出口２２ｆに吸い込まれるのを防止することができるため、除湿水が乾燥用空気とともにドラム４内に戻って、洗濯物５を濡らすのを防止することができる。
【００８８】
更に、基台３０を設けない分だけ吸熱器２４と放熱器２５のサイズを大きくできるため、乾燥用空気の除湿と加熱をより効率的に行うことができる。そのため、単位時間あたりに乾燥用空気が洗濯物５から奪う水分量と、乾燥用空気が除湿される量が増大して、乾燥時間を短縮することができる。
【産業上の利用可能性】
【００８９】
以上のように、本発明にかかるドラム式洗濯乾燥機は、ヒートポンプ装置の修理メンテナンスの作業を容易におこなうことができ、かつ、吸熱器で発生した除湿水が乾燥用空気とともにドラム内に戻って、洗濯物を濡らすのを防止することができるため、洗濯機にヒートポンプ装置を搭載して洗濯乾燥を行う洗濯乾燥機、およびドラム式乾燥機として有用である。
【符号の説明】
【００９０】
１  外槽
２  筐体
２ａ  上部開口
４  ドラム
６  投入口
１０  モータ
１７  送風機
２０  給気口
２１  排気口
２２  ヒートポンプ装置外郭（循環風路）
２４  吸熱器
２５  放熱器
２９  圧縮機
３０  基台
３１  排出口
３２  蓋体
３５  減圧手段
３６  管路
４７  ヒートポンプ装置
４９  溝部（吸引抵抗部）
５０  壁部（吸引抵抗部）
【図１】
2011000141.tif 000003
【図３】
2011000141.tif 000004
【図４】
2011000141.tif 000005
【図５】
2011000141.tif 000006
【図６】
2011000141.tif 000007
【図７】
2011000141.tif 000008
【図８】
2011000141.tif 000009
【図９】
2011000141.tif 000010
【図１０】
2011000141.tif 000011
【図１２】
2011000141.tif 000012
【図１３】
2011000141.tif 000013
【図１４】
2011000141.tif 000014
【図１５】
2011000141.tif 000015
【図１６】
2011000141.tif 000016
【図１７】
2011000141.tif 000017
【図１８】
2011000141.tif 000018
【図１９】
2011000141.tif 000019
【図２０】
2011000141.tif 000020
【図２１】
2011000141.tif 000021
【図２２】
2011000141.tif 000022
【図２３】
2011000141.tif 000023
【図２４】
2011000141.tif 000024
【図２５】
2011000141.tif 000025
【図２６】
2011000141.tif 000026
【図２７】
2011000141.tif 000027
【図２８】
2011000141.tif 000028
【図２９】
2011000141.tif 000029
【図２】
2011000141.tif 000030
【図１１】
2011000141.tif 000031